【手続補正書】
【提出日】平成17年1月14日(2005.1.14)
【手続補正１】
【補正対象書類名】明細書
【補正対象項目名】特許請求の範囲
【補正方法】変更
【補正の内容】
【特許請求の範囲】
【請求項１】
選択可能な複数の物品から一つ以上の物品を選択して注文が可能なネットワーク上の物品選択注文サイトを提供する物品選択注文サイト用装置であって、
前記選択可能な複数の物品から一つ以上の物品が選択されたとき該選択された物品を物品群として設定する物品群設定手段と、
該設定した物品群に関する物品群情報と前記ネットワークを用いて前記物品選択注文サイトを選択するサイト選択情報が関連付けられた所定の選択マークとを所定の書式の電子メールに記述すると共に該記述された電子メールを入力されたメールアドレスに送付する電子メール作成送付手段と、
該送付された電子メールの前記所定の選択マークが選択され該所定の選択マークに関連付けられたサイト選択情報に基づいて前記ネットワークにおける前記物品選択注文サイトを表示出力する際、該表示する物品選択注文サイトにおける物品の選択状態を前記電子メールに記述された物品群情報に基づいて前記設定した物品群が選択された状態とする選択状態復元手段と、
を備える物品選択注文サイト用装置。
【請求項２】
前記電子メール作成送付手段は、前記物品群情報を前記所定の選択マークに関連付けて前記電子メールに記述する手段を持つ請求項１記載の物品選択注文サイト用装置。
【請求項３】
選択可能な複数の物品から一つ以上の物品を選択して注文が可能なネットワーク上の物品選択注文サイトを提供する物品選択注文サイト用装置であって、
前記選択可能な複数の物品から一つ以上の物品が選択されたとき該選択された物品を物品群として設定する物品群設定手段と、
クライアントコンピュータからネットワークを介して所定のメール作成指示を受け付けたとき、該クライアントコンピュータにインストールされているメールソフトを前記設定した物品群に関する物品群情報と前記ネットワークを用いて前記物品選択注文サイトを選択するサイト選択情報が関連付けられた所定の選択マークとが記述された電子メールの作成を伴って該クライアントコンピュータに起動させるメールソフト起動手段と、
前記メールソフトにより作成され送付された電子メールの前記所定の選択マークが選択され該所定の選択マークに関連付けられたサイト選択情報に基づいて前記ネットワークにおける前記物品選択注文サイトを表示出力する際に、該表示する物品選択注文サイトにおける物品の選択状態を前記電子メールに記述された物品群情報に基づいて前記設定した物品群が選択された状態とする選択状態復元手段と、
を備える物品選択注文サイト用装置。
【請求項４】
前記メールソフト起動手段は、前記クライアントコンピュータに標準のメールソフトとして設定されているメールソフトを起動する手段を持つ請求項３記載の物品選択注文サイト用装置。
【請求項５】
前記物品群設定手段は、前記選択状態復元手段により復元された物品の選択状態から物品の追加の選択，物品の削除，物品の変更のいずれかを受け付けて物品群を設定可能な手段を持つ請求項１ないし４いずれか記載の物品選択注文サイト用装置。
【請求項６】
選択可能な複数の物品から一つ以上の物品を選択して注文が可能なネットワーク上の物品選択注文サイトを提供する物品選択注文サイト用装置であって、
前記複数の物品から予め選択されて設定された物品群に関する物品群情報と前記ネットワークにおける前記物品選択注文サイトを選択するサイト選択情報に関連付けられた所定の選択マークとが記述された電子文書の該所定の選択マークが選択され該所定の選択マークに関連付けられたサイト選択情報に基づいて前記ネットワークにおける前記物品選択注文サイトを表示出力する際に、該表示する物品選択注文サイトにおける物品の選択状態を該電子文書に記述された物品群情報に基づいて前記設定した物品群が選択された状態とする状態復元手段
を備える物品選択注文サイト用装置。
【請求項７】
前記電子文書は、電子メールである請求項６記載の物品選択注文サイト用装置。
【請求項８】
請求項６または７記載の物品選択注文サイト用装置であって、
前記電子文書は異なる複数の物品群情報が記述されてなり、
前記状態復元手段は、前記複数の物品群情報のいずれかを選択可能で、該選択された物品群情報に基づいて物品の選択状態を前記物品選択注文サイトにおける物品の選択状態とする手段である
物品選択注文サイト用装置。
【請求項９】
前記状態復元手段は、前記所定の選択マークに関連付けられて前記電子文書に記述された前記物品群情報に基づいて復元する手段を持つ請求項６ないし８いずれか記載の物品選択注文サイト用装置。
【請求項１０】
前記選択状態復元手段により復元された物品の選択状態または該物品の選択状態から物品の追加の選択，物品の削除，物品の変更のいずれかを伴ってなされた物品の選択状態に対して所定の注文マークが選択されたとき、該物品の選択状態にある物品群の注文を受け付ける注文受付手段を備える請求項１ないし９いずれか記載の物品選択注文サイト用装置。
【請求項１１】
前記複数の物品は、２以上の物品の組み合わせにより一つの商品を構成する該商品の部品または部材を含む請求項１ないし１０いずれか記載の物品選択注文サイト用装置。
【請求項１２】
前記複数の物品は、異なる商品を含む請求項１ないし１１いずれか記載の物品選択注文サイト用装置。
【請求項１３】
コンピュータを、請求項１ないし１２いずれか記載の物品選択注文サイト用装置として機能させるサイト用プログラム。
【請求項１４】
選択可能な複数の物品から一つ以上の物品を選択して注文が可能なネットワーク上の物品選択注文サイトにおけるコンピュータシステムを用いた物品選択方法であって、
（ａ）前記物品選択注文サイトで選択可能な複数の物品から一つ以上の物品を選択して物品群設定部が物品群を設定するステップと、
（ｂ）該設定した物品群に関する物品群情報と前記ネットワークにおける前記物品選択注文サイトを選択するサイト選択情報に関連付けられた所定の選択マークとを所定の書式の電子メールに記述すると共に該記述された電子メールを入力されたメールアドレスに電子メール作成送付部が送付するステップと、
（ｃ）該送付された電子メールの前記所定の選択マークが選択され該所定の選択マークに関連付けられたサイト選択情報に基づいて前記ネットワークにおける前記物品選択注文サイトが表示されたとき、該表示された物品選択注文サイトにおける物品の選択状態を前記電子メールに記述された物品群情報に基づいて選択状態復元部が前記設定した物品群が選択された状態とするステップと、
を有する物品選択注文サイトにおける物品選択方法。
【請求項１５】
前記ステップ（ｂ）は、前記物品群情報を前記所定の選択マークに関連付けて前記電子メールに記述するステップである請求項１４記載の物品選択注文サイトにおける物品選択方法。
【請求項１６】
選択可能な複数の物品から一つ以上の物品を選択して注文が可能なネットワーク上の物品選択注文サイトにおけるコンピュータシステムを用いた物品選択方法であって、
（ａ）前記物品選択注文サイトで選択可能な複数の物品から一つ以上の物品を選択して物品群設定部が物品群を設定するステップと、
（ｂ）クライアントコンピュータからネットワークを介して所定のメール作成指示を受け付けたとき、該クライアントコンピュータにインストールされているメールソフトを前記設定した物品群に関する物品群情報と前記ネットワークを用いて前記物品選択注文サイトを選択するサイト選択情報が関連付けられた所定の選択マークとが記述された電子メールの作成を伴って該クライアントコンピュータにメールソフト起動部が起動させるステップと、
（ｃ）前記メールソフトにより作成され送付された電子メールの前記所定の選択マークが選択され該所定の選択マークに関連付けられたサイト選択情報に基づいて前記ネットワークにおける前記物品選択注文サイトを表示出力する際に、該表示する物品選択注文サイトにおける物品の選択状態を前記電子メールに記述された物品群情報に基づいて選択状態復元部が前記設定した物品群が選択された状態とするステップと、
を有する物品選択注文サイトにおける物品選択方法。
【請求項１７】
前記ステップ（ｂ）は、前記クライアントコンピュータに標準のメールソフトとして設定されているメールソフトを起動するステップである請求項１６記載の物品選択注文サイトにおける物品選択方法。
【請求項１８】
前記ステップ（ａ）は、前記ステップ（ｃ）によって生じた前記物品選択注文サイトにおける物品の選択状態から物品の追加の選択，物品の削除，物品の変更のいずれかを伴って物品群を設定するステップである請求項１４ないし１７いずれか記載の物品選択注文サイトにおける物品選択方法。
【請求項１９】
選択可能な複数の物品から一つ以上の物品を選択して注文が可能なネットワーク上の物品選択注文サイトにおけるコンピュータシステムを用いた物品選択方法であって、
前記複数の物品から予め選択されて設定された物品群に関する物品群情報と前記ネットワークにおける前記物品選択注文サイトを選択するサイト選択情報に関連付けられた所定の選択マークとが記述された電子文書の該所定の選択マークが選択され該所定の選択マークに関連付けられたサイト選択情報に基づいて前記ネットワークにおける前記物品選択注文サイトが表示されたとき、該表示された物品選択注文サイトにおける物品の選択状態を該電子文書に記述された物品群情報に基づいて状態復元部が前記設定した物品群が選択された状態とする
物品選択注文サイトにおける物品選択方法。
【請求項２０】
前記電子文書は、電子メールである請求項１９記載の物品選択注文サイトにおける物品選択方法。
【請求項２１】
前記電子文書は異なる物品群情報に関連付けられた複数の所定の選択マークがはめ込まれてなり、該複数の所定の選択マークのいずれかが選択されたときには、前記物品選択注文サイトにおける物品の選択状態を前記選択された所定の選択マークに関係付けられた物品群情報に基づいた状態とする請求項１９または２０記載の物品選択注文サイトにおける物品選択方法。
【請求項２２】
前記状態の復元は、前記所定の選択マークに関連付けられて前記電子文書に記述された前記物品群情報に基づいて復元する請求項１９ないし２１いずれか記載の物品選択注文サイトにおける物品選択方法。
【請求項２３】
前記複数の物品は、２以上の物品の組み合わせにより一つの商品を構成する該商品の部品または部材を含む請求項１４ないし２２いずれか記載の物品選択注文サイトにおける物品選択方法。
【請求項２４】
前記複数の物品は、異なる商品を含む請求項１４ないし２３いずれか記載の物品選択注文サイトにおける物品選択方法。
【請求項２５】
請求項１４ないし２４いずれか記載の物品選択方法における前記所定の選択マークの選択によって生じた前記物品選択注文サイトにおける物品の選択状態または該物品の選択状態から物品の追加の選択，物品の削除，物品の変更のいずれかを伴ってなされた物品の選択状態に対して所定の注文マークを選択することにより、該物品の選択状態にある物品群を前記物品選択注文サイトに注文する物品選択注文サイトにおける物品選択注文方法。